【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
第一のサイトに設置され、複数の第一のディスク及び前記複数の第一のディスクと接続される第一のコントローラを含んで構成され、前記複数の第一のディスクによって第一の論理ボリュームが形成される第一の記憶装置と、
第二のサイトに設置され、前記第一の記憶装置と接続され、複数の第二のディスク及び前記複数の第二のディスクと接続される第二のコントローラを含んで構成され、前記第一の論理ボリュームに記憶されているデータの複製を記憶するための第二の論理ボリュームが前記複数の第二のディスクによって形成される第二の記憶装置と、
第三のサイトに設置され、前記第一の記憶装置と接続され、複数の第三のディスク及び前記複数の第三のディスクと接続される第三のコントローラを含んで構成され、前記第一の論理ボリュームに記憶されているデータの複製を記憶するための第三の論理ボリュームが前記複数の第三のディスクによって形成される第三の記憶装置と、
を備え、
前記第一論理ボリュームに対する書き込みデータが前記第一の記憶装置で受信されると、前記書き込みデータは、前記第一の論理ボリュームに記憶され、前記第二の論理ボリュームに記憶するための非同期リモートコピー手順の実施によって前記第二の記憶装置に送信され、前記第三の論理ボリュームに記憶するための同期リモートコピー手順の実施によって前記第三の記憶装置に送信され、
前記第一の記憶装置から前記第二の記憶装置への非同期リモートコピー手順において、前記第一の記憶装置は、第一のトリガより前に前記第一の記憶装置で受信される前記第一の論理ボリュームに対する第一グループの書き込みデータの前記第二の記憶装置への送信と、前記第一のトリガより後に前記第一の記憶装置で受信される前記第一の論理ボリュームに対する第二グループの書き込みデータの前記第二の記憶装置への送信とを管理し、前記第二のグループの書き込みデータの送信は、前記第一の書き込みデータの送信の完了後に開始され、
前記第三の記憶装置は、前記第三の論理ボリュームにおいて前記第一グループの書き込みデータに対応する書き込みデータが記憶されている位置に関する第一の位置情報と、前記第三の論理ボリュームにおいて前記第二グループの書き込みデータに対応する書き込みデータが記憶されている位置に関する第二の位置情報とを含む位置情報を記録し、
前記第三の記憶装置は、前記第一の記憶装置から前記第二の記憶装置に対する前記第一グループの書き込みデータの送信完了後に、前記第一の位置情報をクリアすること、
を特徴とするデータ記憶システム。
【請求項２】
請求項１に記載のデータ記憶システムであって、
前記第三の記憶装置は、前記第一の記憶装置から前記第二の記憶装置に対する前記第二グループ書き込みデータの送信前に、前記第一の位置情報をクリアすること、
を特徴とするデータ記憶システム。
【請求項３】
請求項１に記載のデータ記憶システムであって、
前記第三の記憶装置は、
前記第一の位置情報を含む位置情報が記憶されている第一のビットマップと、
前記第二の位置情報を含む位置情報が記憶されている第二のビットマップと、
を含んで構成されること、
を特徴とするデータ記憶システム。
【請求項４】
請求項１に記載のデータ記憶システムであって、
前記第一のサイトの被災時には、前記第三の記憶装置は、前記位置情報に基づいて前記第三の論理ボリュームの書き込みデータの一部を選択し、前記選択された書き込みデータを前記第二の論理ボリュームに記憶するために、前記選択された書き込みデータを前記第二の記憶装置に送信すること、
を特徴とするデータ記憶システム。
【請求項５】
請求項１に記載のデータ記憶システムであって、
前記第一のサイトの被災時には、前記第三の記憶装置は、前記位置情報を用いて特定される位置に記憶されている書き込みデータを選択し、前記選択された書き込みデータを前記第二の論理ボリュームに記憶するために、前記選択された書き込みデータを前記第二の記憶装置に送信すること、
を特徴とするデータ記憶システム。
【請求項６】
請求項１に記載のデータ記憶システムであって、
前記第一の記憶装置から前記第二の記憶装置に対する前記第一グループの書き込みデータの送信完了後である第二のトリガの後に、前記第一の記憶装置は、前記第二の記憶装置への前記第二グループの書き込みデータの送信と、前記第二のトリガより後に前記第一の記憶装置で受信される前記第一の論理ボリュームに対する第三グループの書き込みデータの前記第二の記憶装置への送信とを管理し、前記第三グループの書き込みデータの送信は、前記第二グループの書き込みデータの送信完了後に開始され、
前記第一の位置情報をクリアした後に、前記第三の記憶装置は、前記第三の論理ボリュームにおいて前記第三グループの書き込みデータに対応する書き込みデータが記憶されている位置に関する第三の位置情報を記録すること、
を特徴とするデータ記憶システム。
【請求項７】
請求項６に記載のデータ記憶システムであって、
前記第三の記憶装置は、
前記第一の位置情報を含む位置情報が記憶されている第一のビットマップと、
前記第二の位置情報を含む位置情報が記憶されている第二のビットマップと、
を含んで構成され、
前記第三の記憶装置は、前記第一の記憶装置から前記第二の記憶装置への前記第一グループの書き込みデータの送信完了後、かつ、前記第一記憶装置から前記第二記憶装置への前記第二グループの書き込みデータの送信前に、前記第一のビットマップに記録されている位置情報をクリアし、前記第一のビットマップに記録されている前記位置情報のクリア後に前記第一のビットマップに前記第三の位置情報を記録すること、
を特徴とするデータ記憶システム。
【請求項８】
請求項６に記載のデータ記憶システムであって、
前記第三の記憶装置は、前記第二のトリガと同期したタイミングで、前記第一の位置情報をクリアすること、
を特徴とするデータ記憶システム。
【請求項９】
請求項１に記載のデータ記憶システムであって、
前記第三の記憶装置は、前記第一の位置情報をクリアする指示を前記第一の記憶装置から受信し、前記指示に従って前記第一の位置情報をクリアすること、
を特徴とするデータ記憶システム。
【請求項１０】
第一のサイトに設置され、複数の第一のディスク及び前記複数の第一のディスクと接続される第一のコントローラを含んで構成され、前記複数の第一のディスクによって第一の論理ボリュームが形成される第一の記憶装置と、
第二のサイトに設置され、前記第一の記憶装置と接続され、複数の第二のディスク及び前記複数の第二のディスクと接続される第二のコントローラを含んで構成され、前記第一の論理ボリュームに記憶されているデータの複製を記憶するための第二の論理ボリュームが前記複数の第二のディスクによって形成される第二の記憶装置と、
第三のサイトに設置され、前記第一の記憶装置と接続され、複数の第三のディスク及び前記複数の第三のディスクと接続される第三のコントローラを含んで構成され、前記第一の論理ボリュームに記憶されているデータの複製を記憶するための第三の論理ボリュームが前記複数の第三のディスクによって形成される第三の記憶装置と、
を備えるデータ記憶システムにおけるデータ記憶方法であって、
前記第一論理ボリュームに対する書き込みデータが前記第一の記憶装置で受信されると、前記書き込みデータは、前記第一の論理ボリュームに記憶され、前記第二の論理ボリュームに記憶するための非同期リモートコピー手順の実施によって前記第二の記憶装置に送信され、前記第三の論理ボリュームに記憶するための同期リモートコピー手順の実施によって前記第三の記憶装置に送信され、
前記第一の記憶装置から前記第二の記憶装置への非同期リモートコピー手順において、前記第一の記憶装置は、第一のトリガより前に前記第一の記憶装置で受信される前記第一の論理ボリュームに対する第一グループの書き込みデータの前記第二の記憶装置への送信と、前記第一のトリガより後に前記第一の記憶装置で受信される前記第一の論理ボリュームに対する第二グループの書き込みデータの前記第二の記憶装置への送信とを管理し、前記第二のグループの書き込みデータの送信は、前記第一の書き込みデータの送信の完了後に開始され、
前記第三の記憶装置は、前記第三の論理ボリュームにおいて前記第一グループの書き込みデータに対応する書き込みデータが記憶されている位置に関する第一の位置情報と、前記第三の論理ボリュームにおいて前記第二グループの書き込みデータに対応する書き込みデータが記憶されている位置に関する第二の位置情報とを含む位置情報を記録し、
前記第三の記憶装置は、前記第一の記憶装置から前記第二の記憶装置に対する前記第一グループの書き込みデータの送信完了後に、前記第一の位置情報をクリアすること、
を特徴とするデータ記憶方法。
【手続補正２】
【補正対象書類名】明細書
【補正対象項目名】発明の名称
【補正方法】変更
【補正の内容】
【発明の名称】データ記憶システム及びデータ記憶方法
【手続補正３】
【補正対象書類名】明細書
【補正対象項目名】０００４
【補正方法】変更
【補正の内容】
【０００４】
本発明は上記課題を鑑みてなされたものであり、データ記憶システム及びデータ記憶方法を提供することを目的とする。
【手続補正４】
【補正対象書類名】明細書
【補正対象項目名】０００５
【補正方法】変更
【補正の内容】
【０００５】
上記課題を解決するために、本発明に係るデータ記憶システムは、第一のサイトに設置され、複数の第一のディスク及び前記複数の第一のディスクと接続される第一のコントローラを含んで構成され、前記複数の第一のディスクによって第一の論理ボリュームが形成される第一の記憶装置と、第二のサイトに設置され、前記第一の記憶装置と接続され、複数の第二のディスク及び前記複数の第二のディスクと接続される第二のコントローラを含んで構成され、前記第一の論理ボリュームに記憶されているデータの複製を記憶するための第二の論理ボリュームが前記複数の第二のディスクによって形成される第二の記憶装置と、第三のサイトに設置され、前記第一の記憶装置と接続され、複数の第三のディスク及び前記複数の第三のディスクと接続される第三のコントローラを含んで構成され、前記第一の論理ボリュームに記憶されているデータの複製を記憶するための第三の論理ボリュームが前記複数の第三のディスクによって形成される第三の記憶装置と、を備え、前記第一論理ボリュームに対する書き込みデータが前記第一の記憶装置で受信されると、前記書き込みデータは、前記第一の論理ボリュームに記憶され、前記第二の論理ボリュームに記憶するための非同期リモートコピー手順の実施によって前記第二の記憶装置に送信され、前記第三の論理ボリュームに記憶するための同期リモートコピー手順の実施によって前記第三の記憶装置に送信され、前記第一の記憶装置から前記第二の記憶装置への非同期リモートコピー手順において、前記第一の記憶装置は、第一のトリガより前に前記第一の記憶装置で受信される前記第一の論理ボリュームに対する第一グループの書き込みデータの前記第二の記憶装置への送信と、前記第一のトリガより後に前記第一の記憶装置で受信される前記第一の論理ボリュームに対する第二グループの書き込みデータの前記第二の記憶装置への送信とを管理し、前記第二のグループの書き込みデータの送信は、前記第一の書き込みデータの送信の完了後に開始され、前記第三の記憶装置は、前記第三の論理ボリュームにおいて前記第一グループの書き込みデータに対応する書き込みデータが記憶されている位置に関する第一の位置情報と、前記第三の論理ボリュームにおいて前記第二グループの書き込みデータに対応する書き込みデータが記憶されている位置に関する第二の位置情報とを含む位置情報を記録し、前記第三の記憶装置は、前記第一の記憶装置から前記第二の記憶装置に対する前記第一グループの書き込みデータの送信完了後に、前記第一の位置情報をクリアすることとする。
【手続補正５】
【補正対象書類名】明細書
【補正対象項目名】０００７
【補正方法】変更
【補正の内容】
【０００７】
データ記憶システム及びデータ記憶方法を提供することができる。